(57)【要約】【課題】急激な環境温度の変化を受けて係止片や床パネル自体が著しく伸縮すると、接合溝の底に配置された弾性押圧部材と係止片の密着性が緩くなり、防水性が低下してしまう。【解決手段】板状本体１と、板状本体１の上面に積層された床面層２と、床面層２の少なくとも一方の端縁に設けられた断面略Ｕ字状の接合溝３と、床面層２の他方の端縁に設けられた断面略逆Ｌ字状の係止片４を有する床パネル同士を、床パネルの接合溝３に、隣接する床パネルの係止片４を挿入させ、さらに、接合溝３内の隙間に弾性押圧部材５、防水材６及び目地材７の順で下から積層させて接合する床パネルにおいて、係止片４の遊端へ弾性押圧部材５を面接触して押圧する押圧片８を設ける。【選択図】図１
2004143697.tif 000002
【特許請求の範囲】
【請求項１】
板状本体（１）と、該板状本体（１）の上面に積層された床面層（２）と、該床面層（２）の少なくとも一方の端縁に設けられた断面略Ｕ字状の接合溝（３）と、該床面層（２）の他方の端縁に設けられた断面略逆Ｌ字状の係止片（４）を有する床パネル同士を、該床パネルの該接合溝（３）に、隣接する床パネルの該係止片（４）を挿入させ、さらに、該接合溝（３）内の隙間に弾性押圧部材（５）、防水材（６）及び目地材（７）の順で下から積層させて接合する床パネルにおいて、該係止片（４）の遊端へ該弾性押圧部材（５）を面接触して押圧する押圧片（８）を設けたことを特徴とする床パネル。
【発明の詳細な説明】
【０００１】
【発明の属する技術分野】
本発明は、複数枚連続して敷きつめることにより水はけのよいベランダやバルコニーを形成する床パネルに係り、特に、係止片や床パネル自体が急激な環境温度の変化を受けて著しく伸縮しても、接合部の防水性を長期に維持させた床パネルに関する。
【０００２】
【従来の技術】
従来、防水加工を簡易に施すと共にバルコニーやベランダを形成する部材として床パネルが知られている。この床パネルは、通常、複数枚が接合されて使用されるものが一般的である（特許文献１参照。）。
【０００３】
【特許文献１】
特開平７−３１０４２３号公報
【０００４】
この床パネルは、床パネル同士の接合部に水平片を有する接合溝を設け、この水平片に載置した弾性体とともに、接合溝内に充填した弾性押圧部材と防水材及び目地材により防水性を高めたものである。
【０００５】
【発明が解決しようとする課題】
この床パネルにあっては、通常の使用では何ら問題が無いが、急激な環境温度の変化を受けて係止片や床パネル自体が著しく伸縮すると、接合溝の底に配置された弾性押圧部材と係止片の密着性が緩くなり、防水性が低下してしまうおそれがあった。
【０００６】
そこで本発明の目的は、係止片や床パネル自体が急激な環境温度の変化を受けて著しく伸縮しても、接合部の防水性を長期に維持させた床パネルを提供することにある。
【０００７】
【課題を解決するための手段】
本発明者は上記に鑑み鋭意検討を行い、板状本体と、板状本体の上面に積層された床面層と、床面層の少なくとも一方の端縁に設けられた断面略Ｕ字状の接合溝と、床面層の他方の端縁に設けられた断面略逆Ｌ字状の係止片を有する床パネル同士を、床パネルの接合溝に、隣接する床パネルの係止片を挿入させ、さらに、接合溝内の隙間に弾性押圧部材、防水材及び目地材の順で下から積層させて接合する床パネルにおいて、係止片の遊端へ弾性押圧部材を面接触して押圧する押圧片を設けたことにより、上記課題を解決できることを見出し、本発明を完成させた。
【０００８】
【発明の実施の形態】
本発明の床パネルにおける押圧片は、接合溝内の隙間に載置された弾性押圧部材を面接触して押圧することによって、係止片と弾性押圧部材の接触面積を増加させ両者の密着性を維持するためのものであり、係止片や床パネル自体が著しく伸縮しても、接合部の防水性を長期に維持するためのものである。
【０００９】
ここで、押圧片の大きさにあっては、あまりに小さいと係止片と弾性押圧部材の密着性を向上させることができず、両者の接触部から漏水してしまい、あまりに大きいと接合溝に入らなくなってしまうため、接合溝の幅の、５０〜１００％の大きさのものが良い。
【００１０】
また、押圧片の厚さにあっては、あまりに薄いと剛性が不足し弾性押圧部材を押圧する際に変形して接合部の防水性が得られなくなり、あまりに厚いと接合溝に積層させる防水材や目地材が入らなくなってしまうため、接合溝の深さの１０〜５０％の厚さのものが好ましい。
【００１１】
さらに、押圧片の形状としては、上記効果を有するものであれば適宜選択して採用することができ、例えば係止片の遊端から床パネルの外周方向及び／又は床パネルの中心方向へ水平に延出したものなどがある。
【００１２】
このような押圧片の材料としては、特に限定はされず従来使用されている材質で良く、耐候性、耐水性、耐久性等に優れた性質を持つものであればその素材を適宜選択して使用できる。具体的には、ＦＲＰ（繊維強化プラスチック樹脂）、ポリ塩化ビニル樹脂、ポリアクリルベンゼンスルホンサン樹脂等の合成樹脂や石綿セメント等の無機質硬化物などがあり、床面層と一体に成形したり、別体に成形したものを接着剤やボルト、ビスなどで床面層に取り付けてもよい。
【００１３】
また、押圧片にあっては、その遊端に、上方及び／又は下方へ延出したリブを設けてもよい。このリブは、押圧片自体のねじれや曲折を防止するためのものであり、リブを設けることによって、より安定して弾性押圧部材を押圧することができる。
【００１４】
このリブにあっては、あまりに大きいと床パネルを接合できなくなってしまい、あまりに小さいと上記効果が得られなくなってしまうため、押圧片の厚さの１１０〜２００％の大きさがよい。
【００１５】
本発明の床パネルにおける板状本体は、床面層を支持してベランダやバルコニーへ安定的に固定すると共に床パネルとベランダやバルコニーの下地との間に断熱性を持たせるために採用したものである。
【００１６】
板状本体の厚みにあっては、あまりに薄いと床面層を安定的に固定できなくなると共に断熱効果が低くなり、あまりに厚くても床パネル自体が嵩高くなると共に製品重量が重くなり取付作業性が損なわれるため、３０〜１５０ｍｍのものが良い。
【００１７】
板状本体の素材としては、床面層に対し高い密着性を有する発泡性樹脂であれば適宜採択でき、ポリウレタン発泡樹脂、エポキシ発泡樹脂、フェノール発泡樹脂、ポリアクリル発泡樹脂等がある。
【００１８】
本発明の床パネルにおける床面層は、床パネルの床面となる部材として採用したものであり、人や物の重量を支える強度を有すると共にベランダやバルコニーに防水性を持たせるためのものである。
【００１９】
床面層の厚みにあっては、あまりに薄いと曲げ強度や衝撃強度が低下し、人や物の重量に耐えられなくなって破損してしまい、あまりに厚いと製品重量が重くなり取付作業性が損なわれてしまうため、１〜５ｍｍのものが良い。
【００２０】
床面層の材料としては、上記効果を有する繊維強化樹脂であれば適宜選択して採用することができ、例えば、不飽和ポリエステル樹脂、エポキシ樹脂、ビニルエステル樹脂、フェノール樹脂、シリコン樹脂、アリル樹脂、ポリイミド樹脂、フラン樹脂、ポリウレタン系樹脂等の合成樹脂と、ガラス繊維、炭素繊維、アラミド繊維、ボロン繊維等の強化繊維を複合したものがある。また、表面の耐候性向上のため、ゲルコート樹脂を積層しても良い。
【００２１】
本発明の床パネルの接合溝に配置される弾性体、弾性押圧部材、防水材及び目地材は、床パネル同士を、防水性を持たせつつ弾力的に接合するためのものであり、例えばシリコン系、ブチル系、クロロプレン系、ブタジエン系、ポリサルフアイド系等のゴムのように接着性と共に伸縮性のあるものや、予め一定の形状に成形されたゴムに接着剤又は接着テープを取り付けたもの、さらにはＥＰＤＭ（エチレン−プロピレンターポリマー）やポリエチレンやポリプロピレン等の合成樹脂やこれらの発泡体等を適宜選択して採用すればよい。
【００２２】
なお、本発明にかかる床パネルの接合溝及び係止片は、床パネルの相対向する位置のみに設定するだけでなく、任意の床パネル端縁に設置することにより、一方向に接続するだけでなく多方向に接続させることもできるのは勿論である。また、床パネル同士を接続した後、床パネルの床面上に保護シートを接合部ごと覆うように敷設することにより、さらに防水性を高めることができる。
【００２３】
本発明にあっては、板状本体と、板状本体の上面に積層された床面層と、床面層の少なくとも一方の端縁に設けられた断面略Ｕ字状の接合溝と、床面層の他方の端縁に設けられた断面略逆Ｌ字状の係止片を有する床パネル同士を、床パネルの接合溝に、隣接する床パネルの係止片を挿入させ、さらに、接合溝内の隙間に弾性押圧部材、防水材及び目地材の順で下から積層させて接合する床パネルにおいて、係止片の遊端へ弾性押圧部材を面接触して押圧する押圧片を設けたことにより、係止片や床パネル自体が急激な環境温度の変化を受けて著しく伸縮しても、接合部の防水性を長期に維持させた床パネルの接合構造が提供できた。
【００２４】
【実施例】
以下、本発明の実施例１を図１に基づいて説明する。ここで、図１は実施例１の床パネルを接続した状態を示した要部断面図である。
【００２５】
本実施例の床パネルは、板状本体１と、板状本体１の上面に積層された床面層２と、床面層２の一方の端縁に設けられた断面略Ｕ字状の接合溝３と、床面層２の接合溝３の相対向する端縁に設けられた断面略逆Ｌ字状の係止片４と、係止片４の遊端へ設けられた押圧片８を有するものである。
【００２６】
本実施例の床パネル同士を接合するには、一方の床パネルの接合溝３に、隣接する床パネルの係止片４を挿入させ、さらに、接合溝３内の隙間に弾性押圧部材５、防水材６及び目地材７の順で下から積層させて完了する。
【００２７】
ここで、本実施例の床パネルにおいて、板状本体１は発泡ポリウレタンであり、床面層２は硬質に形成されたＦＲＰ（繊維補強プラスチック）で形成されたものである。また、係止片４及び押圧片８は、床面層２と同一の素材で床面層２と一体に成形して得られたものである。なお、特に記載しない限り、以下の実施例は、本実施例と同様のものである。
【００２８】
本実施例にあっては、係止片４の遊端へ設けられた押圧片８により、接合溝３に配置された弾性押圧部材５を面接触して押圧することができ、係止片４や床パネル自体が急激な環境温度の変化を受けて著しく伸縮しても、接合部の防水性を長期に維持させることができた。
【００２９】
本発明の実施例２を図２に基づいて説明する。ここで、図２は実施例２の床パネルを接続した状態を示した要部断面図である。
【００３０】
本実施例の床パネルは、実施例１の係止片４を、図２に示したように、押圧片８の遊端に上方へ向かって延出したリブ９を設けたものに変更したものである。本実施例にあっては、リブ９によって押圧片８自体のねじれや曲折を防止でき、より安定して弾性押圧部材５を押圧することができた。
【００３１】
本発明の実施例３を図３に基づいて説明する。ここで、図３は実施例３の床パネルを接続した状態を示した要部断面図である。
【００３２】
本実施例の係止片４は、実施例１の係止片４を、図３に示したように、押圧片８の遊端に下方へ向かって延出したリブ９を設けたものに変更したものである。本実施例にあっては、実施例２と同様、リブ９によって押圧片８自体のねじれや曲折を防止でき、より安定して弾性押圧部材５を押圧することができた。
【００３３】
【発明の効果】
本発明にあっては、板状本体と、板状本体の上面に積層された床面層と、床面層の少なくとも一方の端縁に設けられた断面略Ｕ字状の接合溝と、床面層の他方の端縁に設けられた断面略逆Ｌ字状の係止片を有する床パネル同士を、床パネルの接合溝に、隣接する床パネルの係止片を挿入させ、さらに、接合溝内の隙間に弾性押圧部材、防水材及び目地材の順で下から積層させて接合する床パネルにおいて、係止片の遊端へ弾性押圧部材を面接触して押圧する押圧片を設けたことにより、係止片や床パネル自体が急激な環境温度の変化を受けて著しく伸縮しても、接合部の防水性を長期に維持させた床パネルの接合構造が提供できた。
【図面の簡単な説明】
【図１】実施例１の床パネルを接続した状態を示した要部断面図である。
【図２】実施例２の床パネルを接続した状態を示した要部断面図である。
【図３】実施例３の床パネルを接続した状態を示した要部断面図である。
【符号の説明】
１　板状本体
２　床面層
３　接合溝
４　係止片
５　弾性押圧部材
６　防水材
７　目地材
８　押圧片
【図１】
2004143697.tif 000003
【図２】
2004143697.tif 000004
【図３】
2004143697.tif 000005